(57)【要約】【課題】本発明は、アイピースシャッタを内蔵していないカメラにおいても、撮影時にアイピースシャッタの携帯忘れ及び紛失を防止することが可能なアイカップ及びカメラを提供する。【解決手段】本発明のアイカップは、カメラの接眼部に設けられた枠部材に係合可能であって接眼部の光軸上に形成された開口部を有する基台部と、遮光性を有する板状部を有する遮光部材と、遮光部材を板状部が開口部内から退避した開状態と、板状部が重畳することで開口部を遮蔽した閉状態と、に移動させる開閉機構部とを具備する。【選択図】図３
2010026003.tif 000002
【特許請求の範囲】
【請求項１】
カメラのファインダの接眼部に装着可能なアイカップであって、
前記カメラの接眼部に設けられた枠部材に、前記ファインダの光軸に交差する所定の方向から係合可能であって、前記接眼部の光軸上に形成された開口部を有する基台部と、
遮光性を有する複数の板状部を有し、前記基台部上において前記開口部内に進退可能に配設された遮光部材と、
前記遮光部材を、前記板状部が前記開口部内から退避した開状態と、前記板状部が重畳することで前記開口部を遮蔽した閉状態と、に移動させる開閉機構部と、
を具備することを特徴とするアイカップ。
【請求項２】
前記開閉機構部は、前記基台部が第１の向きで前記所定の方向から前記枠部材に係合される場合には、該係合動作に連動して前記遮光部材を開状態に移動させ、
前記基台部が第１の向きとは反対の第２の向きで前記所定の方向から前記枠部材に係合される場合には、該係合動作に前記遮光部材を閉状態に移動させることを特徴とする請求項１に記載のアイカップ。
【請求項３】
前記開閉機構部は、
前記基台部上に、前記所定の方向に沿って固設された第１のガイド部と、
前記第１のガイド部に沿って前記基台部に対して移動可能であって、前記遮光部材と係合するピン部を具備し、前記基台部が前記枠部材に係合される際には前記枠部材に係合して前記基台部に対して前記所定の方向とは反対側に移動するスライド部材と、
を具備することを特徴とする請求項２に記載のアイカップ。
【請求項４】
前記遮光部材は、前記スライド部材の前記ピン部に係合する前記所定の方向に沿って延在するそれぞれ長さの異なる長孔を有することを特徴とする請求項３に記載のアイカップ。
【請求項５】
前記スライド部材を、前記開状態の位置に係止する板状のバネ部材を具備することを特徴とする請求項３又は４に記載のアイカップ。
【請求項６】
請求項１から５のいずれか一項に記載のアイカップを具備するカメラ。
【発明の詳細な説明】
【技術分野】
【０００１】
本発明は、カメラのファインダの接眼部に装着可能なアイカップ及びこれを具備するカメラに関する。
【背景技術】
【０００２】
露光計を内蔵したカメラでは、セルフタイマー撮影等の撮影者の顔がファインダ部から離れる場合に、接眼部からファインダ内に光が入射して露光に狂いが生じることを防止するために、アイピースシャッタにより接眼部を遮光する。
【０００３】
アイピースシャッタは、カメラ本体に内蔵される形態のものもあるが、カメラとは別体の蓋状の部材として提供され、セルフタイマー撮影時等にはこのアイピースシャッタを接眼部に被せる形態のものも存在する。
【０００４】
このような、カメラに内蔵されない形態のアイピースシャッタは、撮影者が携帯を忘れてしまったり、紛失してしまうという恐れがある。
【０００５】
この問題に対し、例えば、実開昭５１−２７１３２号公報には、アイピースシャッタをアクセサリーシューに収納する技術が開示されている。また、特開平５−３４８１３号公報及び特開平１１−８４４６６号公報には、ストラップの一部にアイピースシャッタを持たせる技術が開示されている。
【特許文献１】実開昭５１−２７１３２号公報
【特許文献２】特開平５−３４８１３号公報
【特許文献３】特開平１１−８４４６６号公報
【発明の開示】
【発明が解決しようとする課題】
【０００６】
しかしながら、実開昭５１−２７１３２号公報に開示されているアイピースシャッタをアクセサリーシューに収納する技術では、ストロボ撮影時等においてアクセサリーシューを使用する場合にアイピースシャッタを本体から外して保管しなければならず、手間がかかるとともに紛失してしまうことが起こりうる。
【０００７】
また、特開平５−３４８１３号公報及び特開平１１−８４４６６号公報に開示されているような、ストラップの一部にアイピースシャッタを持たせる技術は、撮影者が必ずカメラとそのストラップを同時に使用するとの想定に基づいたものであり、やはり必要なときにストラップをカメラに付けておらず、アイピースシャッタを使用できなくなることが起こりうる。
【０００８】
本発明は、上記問題点に鑑みてなされたものであり、アイピースシャッタを内蔵していないカメラにおいても、撮影時にアイピースシャッタの携帯忘れ及び紛失を防止することが可能なアイカップ及びカメラを提供することを目的とする。
【課題を解決するための手段】
【０００９】
本発明のアイカップは、カメラのファインダの接眼部に装着可能なアイカップであって、前記カメラの接眼部に設けられた枠部材に、前記ファインダの光軸に交差する所定の方向から係合可能であって、前記接眼部の光軸上に形成された開口部を有する基台部と、遮光性を有する複数の板状部を有し、前記基台部上において前記開口部内に進退可能に配設された遮光部材と、前記遮光部材を、前記板状部が前記開口部内から退避した開状態と、前記板状部が重畳することで前記開口部を遮蔽した閉状態と、に移動させる開閉機構部と、を具備することを特徴とする。
【００１０】
また、本発明のカメラは、上記アイカップを具備することを特徴とする。
【発明を実施するための最良の形態】
【００１１】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１２】
以下、本発明の実施形態について図面を参照して説明する。図１は、アイカップとカメラのファインダ部の斜視図である。図２は、アイカップの基台部の前面側の形状を示す図である。図３は、アイカップの分解図である。図４は、第１の遮蔽部材の動作を説明する図である。図５は、第２の遮蔽部材の動作を説明する図である。図６は、第３の遮蔽部材の動作を説明する図である。図７は、アイカップの開口部が開口された開状態を示す図である。図８は、アイカップの開口部が遮蔽された閉状態を示す図である。
【００１３】
図１に示すように、本実施形態のカメラ１００は、いわゆる一眼レフタイプの撮像装置であって、被写体像を光学的に観察するためのファインダ１１０が、本体の背面上側において、光軸Ｏが背面に略直交する様に配設されている。
【００１４】
該ファインダ１１０の接眼部１１１の後端側の周囲には、枠状の取付枠１０１（枠部材）が配設されている。該取付枠１０１は、カメラ１００の上下方向に平行な辺から、左右方向に延出した所定の厚さの一対の係合凸部１０２が形成されている。
【００１５】
カメラ１００の取付枠１０１には、ファインダ１１０の光軸Ｏに直交する上方向（第１の方向）から一対の係合凸部１０２に係合する溝形状を有するアクセサリ類を、着脱自在に装着することができる。アクセサリには、例えば、マグニファイヤ又は視度調整用レンズ等が挙げられる。
【００１６】
本実施形態のカメラ１００は、接眼部１１１の取付枠１０１に、以下に説明するアイカップ１を着脱自在に装着することができる。アイカップ１は、中央部に開口部１１が形成された平板状の基台部１０と、基台部１０に嵌め合わせ又は接着により固着されるゴム製カップ部２とを具備して構成される。
【００１７】
ゴム製カップ部２は、詳しくは図示しないが、撮影者の眼球をファインダ１１０に対して適切な位置に位置決めし、かつ撮影者がファインダ１１０を覗いている状態において撮影者の顔面の目の周囲に密着しファインダ１１０内に接眼部１１１側から不要な光が入り込むのを防止するための部材である。
【００１８】
平板状の基台部１０は、カメラ１００の取付枠１０１に、開口部１１が設けられた主面がカメラ１００の背面と略平行となる状態で装着される。基台部１０は、カメラ１００の上方から見た場合に、両端部にファインダ光軸Ｏ方向の前方に所定の高さで突出する一対の凸部１３が形成された、チャンネル形状（コの字形状）を有している。また、該一対の凸部１３には、それぞれの凸部１３から基台部１０の主面と平行かつ互いに対向する方向にファインダ光軸Ｏを挟むように延出する、板状の一対のガイド板２０が固定されている。
【００１９】
基台部１０は、中央部１２と一対のガイド板２０との間に形成される、アリ溝状の係合部内に取付枠１０１の係合凸部１０２が係合することで、カメラ１００の接眼部１１１に装着される。
【００２０】
以下に、アイカップ１の詳細な構成について説明する。
【００２１】
図２に示すように、アイカップ１の基台部１０は、光軸Ｏに沿うカメラ１００前方から見て上辺１０ａと下辺１０ｂとが平行であり、かつ上辺１０ａが下辺１０ｂよりも短い台形状を有する。基台部１０が台形状であるのは、撮影者がアイカップ１の上下の向きを容易に判別できるようにするためである。
【００２２】
基台部１０の前面側（カメラ１００の背面に対向する側）の左右端部には、上下方向に延在する凸形状の凸部１３が形成されている。凸部１３には、その上下方向の中央部が、外方向に向かって抉られた形状を有し、この抉られた部分の上端面１３ａ及び下端面１３ｂは、後述する遮光部材を位置決めするためのストッパとして機能する。また、基台部１０の前面側の四隅には、ネジ穴１４が形成されている。
【００２３】
図３の分解図に示すように、ネジ穴１４には細長の矩形状の板部材であり、上下方向を長手方向として、基台部１０の両端の凸部１３上にそれぞれ固定される一対のガイド板２０が、ネジ３０により固定されている。
【００２４】
ガイド板２０の基台部に対向する側の面には、長手方向に沿ってガイドレール部２１（第１のガイド部）が凸設されている。一対のガイドレール部２１は、ガイド板２０がそれぞれ基台部１０に固定された状態において、基台部１０の凸部１３が抉られた領域内に位置し、かつ、互いに平行となるように配設される。
【００２５】
このガイド板２０と基台部１０との間には、左右それぞれにガイドレール部２１に沿って移動可能なように、ガイドレール部２１に係合する溝部４１が形成されたスライドピン部４０（スライド部材）が配設される。また、スライドピン部４０には、ファインダ光軸Ｏに沿って後方に突出し、後述する遮光部材のピン係合孔に係合する円柱状のピン部４２が形成されている。
【００２６】
一対のスライドピン部４０は、ガイドレール部２１に沿って、基台部１０の凸部１３の上端部１３ａ及び下端部１３ｂに当接するまで上下方向に移動可能である。
【００２７】
また、基台部１０が、カメラ１００の取付枠１０１の係合凸部１０２に係合するようにカメラ１００の上方から装着される場合において、スライドピン部４０は、係合凸部１０２の上端の肩部に係合することで基台部１０に対して相対的に上方向に移動する。
【００２８】
また、基台部１０の凸部１３の内側の側面部には、係止バネ部８０が配設されている。係止バネ部８０は、板状のバネ部材であって、凸部１３の側面から内側方向に突出する２つの係止部である上端係止部８０ａ及び下端係止部８０ｂを有している。
【００２９】
上述したスライドピン部４０は、ガイドレール部２１に沿って、基台部１０の凸部１３の上端部１３ａに当接するまで上方向に移動した状態において、該係止バネ部８０の上端係止部８０ａと係合し、当該位置に保持される。
【００３０】
また、スライドピン部４０は、ガイドレール部２１に沿って、基台部１０の凸部１３の下端部１３ｂに当接するまで上方向に移動した状態において、該係止バネ部８０の下端係止部８０ｂと係合し、当該位置に保持される。
【００３１】
スライドピン部４０と基台部１０との間には、複数の遮光部材が配設されている。本実施形態では遮光部材は、それぞれ可視光を遮断する材料により構成され、基台部１０の主面と平行に配設された薄板状の部材である、第１の遮光部材５０、第２の遮光部材６０及び第３の遮光部材７０の３枚からなる。
【００３２】
以下に、図４から図６を用いて、第１の遮光部材５０、第２の遮光部材６０及び第３の遮光部材７０の構成を説明する。
【００３３】
第１の遮光部材５０は、左右方向を長手方向とした細長の形状を有し、その両端部５２のそれぞれにスライドピン部４０のピン部４２が挿通される一対のピン係合孔５３が穿設されている。また、第１の遮光部材５０の長手方向中央部には、両端部５２よりも上下方向に幅広であり、かつ基台部１０の開口部１１の左右方向の幅よりも広い遮光羽根部５１が形成されている。
【００３４】
第１の遮光部材５０は、スライドピン部４０が基台部１０の凸部１３の上端部１３ａに突き当たるまで移動した状態において、図４に実線で示すように、両端部５２の上辺５２ａが凸部１３の上端部１３ａに当接する。
【００３５】
また、この第１の遮光部材５０が基台部１０の凸部１３の上端部１３ａに突き当たるまで移動した状態において、第１の遮光部材５０の遮光羽根部５１は、基台部１０の開口部１１に重ならない領域に退避している。
【００３６】
一方、第１の遮光部材５０は、スライドピン部４０が基台部１０の凸部１３の下端部１３ｂに突き当たるまで移動した状態において、図４に二点鎖線で示すように、両端部５２の底辺５２ｂが凸部１３の下端部１３ｂに当接する。
【００３７】
この第１の遮光部材５０が基台部１０の凸部１３の下端部１３ｂに突き当たるまで移動した状態において、第１の遮光部材５０の遮光羽根部５１は、基台部１０の開口部１１の下辺１１ｂ側の領域を覆う。
【００３８】
第２の遮光部材６０は、左右方向を長手方向とした細長の遮光羽根部６１と、該遮光羽根部６１の両端から下方向に延出する両端部６２とからなる略コの字形状を有する。第２の遮光部材６０の両端部６２のそれぞれには、スライドピン部４０のピン部４２が挿通され内部で上下方向に摺動可能な長孔である一対のピン係合孔６３が穿設されている。
【００３９】
また、第２の遮光部材６０の遮光羽根部６１は、上下方向について第１の遮光部材５０の遮光羽根部５１と略同一の幅であり、左右方向については基台部１０の開口部１１よりも広い幅を有する。
【００４０】
第２の遮光部材６０は、スライドピン部４０が基台部１０の凸部１３の上端部１３ａに突き当たるまで移動した状態において、図５に実線で示すように、両端部６２の上辺６２ａが凸部１３の上端部１３ａに当接する。
【００４１】
また、この第２の遮光部材６０が基台部１０の凸部１３の上端部１３ａに突き当たるまで移動した状態において、第２の遮光部材６０の遮光羽根部６１は、基台部１０の開口部１１に重ならない領域に退避している。
【００４２】
一方、第２の遮光部材６０は、スライドピン部４０が基台部１０の凸部１３の下端部１３ｂに突き当たるまで移動した状態において、図５に二点鎖線で示すように、両端部６２の底辺６２ｂが凸部１３の下端部１３ｂに当接する。
【００４３】
この第２の遮光部材６０が基台部１０の凸部１３の下端部１３ｂに突き当たるまで移動した状態において、第２の遮光部材６０の遮光羽根部６１は、基台部１０の開口部１１の略中央部を覆う。
【００４４】
第３の遮光部材７０は、左右方向を長手方向とした細長の遮光羽根部７１と、該遮光羽根部７１の両端から下方向に延出する一対の両端部７２とからなる略コの字形状を有する。第３の遮光部材７０の両端部７２のそれぞれには、スライドピン部４０のピン部４２が挿通され内部で上下方向に摺動可能な長孔である一対のピン係合孔７３が穿設されている。
【００４５】
第３の遮光部材７０の両端部７２及びピン係合部７３は、上記第２の遮光部材６０の両端部６２及びピン係合部６３よりも上下方向に長く形成されている。
【００４６】
また、第３の遮光部材７０の遮光羽根部７１は、上下方向について第１の遮光部材５０の遮光羽根部５１と略同一の幅であり、左右方向については基台部１０の開口部１１よりも広い幅を有する。
【００４７】
第３の遮光部材７０は、スライドピン部４０が基台部１０の凸部１３の上端部１３ａに突き当たるまで移動した状態において、図６に実線で示すように、両端部７２の上辺７２ａが凸部１３の上端部１３ａに当接する。
【００４８】
また、この第３の遮光部材７０が基台部１０の凸部１３の上端部１３ａに突き当たるまで移動した状態において、第３の遮光部材７０の遮光羽根部７１は、基台部１０の開口部１１に重ならない領域に退避している。
【００４９】
一方、第３の遮光部材７０は、スライドピン部４０が基台部１０の凸部１３の下端部１３ｂに突き当たるまで移動した状態において、図６に二点鎖線で示すように、両端部７２の底辺７２ｂが凸部１３の下端部１３ｂに当接する。
【００５０】
この第３の遮光部材７０が基台部１０の凸部１３の下端部１３ｂに突き当たるまで移動した状態において、第３の遮光部材７０の遮光羽根部７１は、基台部１０の開口部１１の上辺１１ａ側の領域を覆う。
【００５１】
以下に、図７及び図８を用いて、本実施形態のアイカップ１の動作を説明する。
【００５２】
図１に示すように、台形の基台部１０の下辺１０ｂをカメラ１００の下側に向くようにして、アイカップ１をカメラ１００の上方から接眼部１１１の取付枠１０１に装着する場合、スライドピン部４０は、係合凸部１０２の上端の肩部に係合することで基台部１０に対して相対的に上方向に移動する。すなわち、スライドピン部４０は、基台部１０の上辺１０ａ側に移動する。
【００５３】
そして、スライドピン部４０が、基台部１０の凸部１３の上端部１３ａに突き当たると、アイカップ１はそれ以上カメラ１００に対して下方に移動できなくなる。すなわち、スライドピン部４０が上端部１３ａに当接することで、アイカップ１のカメラ１００に対する位置決めがなされる。
【００５４】
このとき、スライドピン部４０とともに上下方向に移動可能に配設された第１の遮光部材５０、第２の遮光部材６０及び第３の遮光部材７０は、図７に示すように、全て基台部１０の凸部１３の上端部１３ａに突き当たるまで移動している。
【００５５】
上述したように、第１の遮光部材５０、第２の遮光部材６０及び第３の遮光部材７０が基台部１０の上辺１０ａ側に突き当たった状態では、それぞれの遮光羽根部５１、６１及び７１は、全て基台部１０の開口部１１とは重ならない領域に退避している。すなわち、この状態において、開口部１１は開状態となっている。
【００５６】
したがって、基台部１０の開口部１１を介してカメラ１００の接眼部１１１が、カメラ１００の背面側に露出し、撮影者はファインダ１１０を用いた撮影を行うことができる。
【００５７】
一方、アイカップ１を、図１とは上下を反対に、すなわち台形の基台部１０の下辺１０ｂをカメラ１００の上側に向くようにして、アイカップ１をカメラ１００の上方から接眼部１１１の取付枠１０１に装着する場合、スライドピン部４０は、係合凸部１０２の上端の肩部に係合することで基台部１０に対して相対的に上方向に移動する。すなわち、スライドピン部４０は、基台部１０の下辺１０ｂ側に移動する。
【００５８】
そして、スライドピン部４０が、基台部１０の凸部１３の下端部１３ｂに突き当たると、アイカップ１はそれ以上カメラ１００に対して下方に移動できなくなる。すなわち、スライドピン部４０が下端部１３ａに当接することで、アイカップ１のカメラ１００に対する位置決めがなされる。
【００５９】
このとき、スライドピン部４０とともに上下方向に移動可能に配設された第１の遮光部材５０、第２の遮光部材６０及び第３の遮光部材７０は、図８に示すように、全て基台部１０の凸部１３の下端部１３ｂに突き当たるまで移動している。
【００６０】
上述したように、第１の遮光部材５０、第２の遮光部材６０及び第３の遮光部材７０が基台部１０の凸部１３の下端部１３ｂに突き当たった状態では、それぞれの遮光羽根部５１、６１及び７１は、基台部１０の開口部１１の下辺１０ｂ側、中央、上辺１０ａ側を覆う位置に進出する。すなわち、基台部１０の開口部１１は、遮光羽根部５１、６１及び７１により遮蔽される。すなわち、この状態において、開口部１１は、閉状態となっている。
【００６１】
この状態では、アイカップ１は、カメラ１００のファインダ１１０内に接眼部１１１側から光が入射することを防ぎ、測光の精度を向上させる、いわゆるアイピースシャッタとして機能する。
【００６２】
すなわち、上述した本実施形態のアイカップ１は、通常の撮影時にはカメラ１００に常に装着されるアイカップの機能を果たし、かつ接眼部１１１から撮影者の顔が離れる、例えばセルフタイマー撮影、ライブビュー撮影、又はリモート撮影等を行う場合においては、上下を逆にして装着することによりアイピースシャッタとしての機能を果たす。
【００６３】
本実施形態において、アイピースシャッタが開状態でカメラ１００の上方から取付枠１１１にアイカップ１を基台部１０の下辺１０ｂ側から装着すれば、開状態は保持されたままである。
【００６４】
また、アイピースシャッタが閉状態でカメラ１００上方から取付枠１１１にアイカップ１を基台部１０の下辺１０ｂ側から装着すれば、その閉状態は開状態に移行する。
【００６５】
また、アイピースシャッタが開状態でカメラ１００の上方から取付枠１１１にアイカップ１を基台部１０の上辺１０ａ側から装着すれば、開状態は閉状態に移行する。
【００６６】
また、アイピースシャッタが閉状態でカメラ１００の上方から取付枠１１１にアイカップ１を基台部１０の上辺１０ａ側から装着すれば、閉状態は保持されたままである。
【００６７】
なお、以上は本発明のアイカップ１をカメラ上方から装着することを前提として説明をしたが、必ずしもその必要は無く、カメラの取付枠の下方にアイカップ１の上下進行方向に突部が無くカメラの取付枠の下方から上方に向かって装着できるものであってもよい。
【００６８】
この場合、アイピースシャッタが開状態でカメラ１００の下方から取付枠１１１にアイカップ１を基台部１０の下辺１０ｂ側から装着すれば、その開状態は保たれたままであるし、アイピースシャッタが閉状態でカメラ１００の下方から取付枠１１１にアイカップ１を基台部１０の下辺１０ｂ側から装着すればその閉状態は開状態に移行する。また、アイピースシャッタが開状態でカメラ１００の下方から取付枠１１１にアイカップ１を基台部１０の上辺１０ａ側から装着すれば閉状態に移行し、アイピースシャッタが閉状態でカメラ１００の下方から取付枠１１１にアイカップ１を基台部１０の上辺１０ａ側から装着すれば閉状態は保持されたままである。
【００６９】
以上に説明した本実施形態によれば、アイカップは、常にカメラに装着されて使用されることが一般的であることから、アイピースシャッタを内蔵していないカメラにおいても、撮影時にアイピースシャッタの携帯を忘れてしまうことがなく、また紛失してしまうこともない。
【００７０】
また、本実施形態のアイカップによれば、アイピースシャッタを内蔵しないカメラにも余計な部品を付加することなくアイピースシャッタ機能を持たせることができる。
【００７１】
なお、上述した実施形態では、アイカップを向きを変えて装着する動作によって複数の遮光部材の位置を変化させているが、例えば基台部にレバー状のスイッチを設け、該スイッチを操作することで遮光部材の位置を変更する構成であってもよい。
【００７２】
上述した実施形態に基づいて、以下の構成を提案することができる。すなわち、本願発明は以下の構成で表現できる。  
（付記１）  
ファインダ光軸に交差する方向から接眼枠を装着可能にするための係合部を有するカメラのファインダ接眼部に装着可能な接眼枠装置において、  
上記カメラの接眼部に設けられた係合部に係合可能な係合手段と、  
複数の遮光板からなり、複数の板状部材が重畳して上記ファインダ窓を開放する開位置と、該重畳状態から展開されファインダ窓を閉鎖する閉位置とに移動可能な複数の遮光板からなる遮光手段と、  
を具備することを特徴とした接眼枠装置。
【００７３】
（付記２）  
ファインダ光軸に交差する方向から接眼枠を装着可能にするための係合部を有するカメラのファインダ接眼部に装着可能な接眼枠装置において、  
上記カメラの接眼部に設けられた係合部に係合可能な係合手段と、  
複数の遮光板からなり、複数の板状部材が重畳して上記ファインダ窓を開放する開位置と、該重畳状態から展開しファインダ窓を閉鎖する閉位置とに移動可能な複数の遮光板からなる遮光手段と、  
上記遮光手段が上記閉位置にあるとき、上記方向から上記接眼枠装置を上記カメラのファインダ接眼部に装着すると上記係合に連動して上記遮光手段を開位置に移動させ、上記遮光手段が上記開位置にあるとき、上記方向から上記接眼枠装置を上記カメラのファインダ接眼部に逆さまに装着すると上記係合に連動して上記遮光手段を閉位置に移動させる開閉手段と、  
を具備することを特徴とした接眼枠装置。
【００７４】
（付記３）  
ファインダ光軸に交差する方向から接眼枠を装着可能にするための係合部を有するカメラのファインダ接眼部に装着可能な接眼枠装置において、  
上記カメラの接眼部に設けられた係合部に上記方向から係合可能で、さらに該方向とは逆方向からも係合可能な係合手段と、  
上記係合手段を有し、上記ファインダ接眼部に装着される基台と、  
重畳して上記ファインダ窓を開放する開位置と、上記方向に沿って互いに長さの異なる長穴を有し上記基台に対し上記方向に沿って互いに異なる量を移動し上記ファインダ窓を閉じる閉位置とに移動可能となっている複数の遮光板と、  
上記基台に上記基台の上記方向に沿って固設された第１のガイド手段と、  
上記長穴に相対移動可能に係合するガイドピンが設けられ上記第１のガイド手段にガイドされ上記方向に沿って移動可能になっていて、上記基台が上記方向から上記カメラの係合部へ上記係合手段が係合したときには、上記遮光板を開位置へ上記長穴を介して駆動して、上記基台が上記方向から逆さまに上記カメラの係合部へ上記係合手段が係合したときには、上記遮光板を閉位置へ案内する第２のガイド手段と、  
を具備することを特徴とした接眼枠装置。
【００７５】
（付記４）  
上記接眼枠装置が上記方向から上記カメラのファインダ接眼部に装着され、該装着を外したとき、上記第１のガイド部材に沿って板状のばね部材が配され、該ばね部材により上記第２のガイド手段が上記開位置で保持されていることを特徴とした付記３に記載の接眼枠装置。
【００７６】
なお、本発明は、上述した実施形態に限られるものではなく、特許請求の範囲及び明細書全体から読み取れる発明の要旨或いは思想に反しない範囲で適宜変更可能であり、そのような変更を伴うアイカップ及びカメラもまた本発明の技術的範囲に含まれるものである。
【図面の簡単な説明】
【００７７】
【図１】アイカップとカメラのファインダ部の斜視図である。
【図２】アイカップの基台部の前面側の形状を示す図である。
【図３】アイカップの分解図である。
【図４】第１の遮蔽部材の動作を説明する図である。
【図５】第２の遮蔽部材の動作を説明する図である。
【図６】第３の遮蔽部材の動作を説明する図である。
【図７】アイカップの開口部が開口された開状態を示す図である。
【図８】アイカップの開口部が遮蔽された閉状態を示す図である。
【符号の説明】
【００７８】
１    アイカップ、
２    ゴム製カップ、
１０    基台部、
１１    開口部、
１２    中央部、
１３    凸部、
１４    ネジ穴、
２０    ガイド板、
２１    ガイドレール部、
３０    ネジ、
４０    スライドピン部、
４１    溝部、
４２    ピン部、
５０    第１の遮光部材
５１    遮光羽根部、
５２    両端部、
５３    ピン係合孔、
６０    第２の遮光部材
６１    遮光羽根部、
６２    両端部、
６３    ピン係合孔、
７０    第３の遮光部材
７１    遮光羽根部、
７２    両端部、
７３    ピン係合孔、
８０    係止バネ部、
８０ａ    係止部、
１００    カメラ、
１０１    取付枠、
１０２    係合凸部、
１１０    ファインダ、
１１１    接眼部。
【図１】
2010026003.tif 000003
【図２】
2010026003.tif 000004
【図３】
2010026003.tif 000005
【図４】
2010026003.tif 000006
【図５】
2010026003.tif 000007
【図６】
2010026003.tif 000008
【図７】
2010026003.tif 000009
【図８】
2010026003.tif 000010